(57)【特許請求の範囲】
【請求項１】
弧状揺動部材を備えた揺動基台と、揺動基台上の座椅子との間に、揺動基台に対して座椅子を前後方向にスライド自在及びロックするスライド機構を設け、スライド機構により揺動座椅子の重心位置に対して座椅子に座った者の重心位置を座椅子と共に前後にスライドさせて、座椅子に座った者によって異なる重心位置を最適な重心位置に調節可能にすると共に、上記弧状揺動部材の左右一対の弧状揺動ソリ板の前部側を直線状に形成したことを特徴とする揺動座椅子。
【請求項２】
スライド機構のロック及びロック解除する操作レバーがスライド機構の側部に設けられ、操作レバーは後方側に回動させることでロック解除し、操作レバーを離すと前方側に向けて回動してロック状態に復帰する請求項１記載の揺動座椅子。
【請求項３】
弧状揺動部材を備えた揺動基台と、揺動基台上の座椅子との間に、揺動基台に対して座椅子を前後方向にスライドさせるスライド機構を設けると共に揺動基台の前方に向けて座椅子を付勢するバネを設け、揺動座椅子の重心位置に対して座椅子に座った者の重心位置を座椅子と共にバネの付勢力に抵抗して後方に向けてスライドさせて、座椅子に座った者によって異なる重心位置を最適な重心位置に調節可能にすると共に、上記弧状揺動部材の左右一対の弧状揺動ソリ板の前部側を直線状に形成し、座った者が座椅子からの立ち上がり時には、前方に付勢するバネを利用して座椅子を前方にスライドさせ座った者の重心位置を前方に移動させて座椅子を前方に傾かせ、座椅子からの立ち上がりを容易にすることを特徴とする揺動座椅子。
【請求項４】
バネのバネ強さは可変自在になっている請求項３記載の揺動座椅子。
【発明の詳細な説明】
【０００１】
【発明の属する技術分野】
この発明は、座椅子の下部に弧状揺動部材を設けて座椅子を揺動するようにした揺動座椅子に係り、特に、揺動座椅子の重心位置に対して座椅子に座った者の重心位置を座椅子と共に前後にスライドさせて、座椅子に座る者によって異なる重心位置を最適な重心位置に調節可能にする揺動座椅子に関するものである。
【０００２】
【従来の技術】
従来、座椅子の下部に弧状揺動部材を設けて座椅子を揺動するようにした揺動座椅子が複数出願されている。このうち、大部分の揺動座椅子は、弧状揺動部材に対して座椅子が固定して設けられている。
また、揺動座椅子の中の例えば実開平３−９２１５４のロッキング座椅子にあっては、座椅子を前後に移動させることによって、通常の座椅子（つまり揺動しない座椅子）と揺動する座椅子として使い分け可能な構造になっている。
【０００３】
【発明が解決しようとする課題】
ところで、揺動座椅子に座る場合、座る者の体型によってその重心位置が微妙に異なる。例えば太った者が揺動座椅子に座る場合には、その重心位置が少し前方側にずれて、揺動座椅子は全体的に少し前方側に傾いた状態つまり少し前屈みの状態で前後方向に揺動する。逆に痩せた者が揺動座椅子に座る場合には、その重心位置が少し後方側にずれて、揺動座椅子は全体的に少し後方側に傾いた状態つまり少し後ろに沿った状態で前後方向に揺動する。
そして、弧状揺動部材に対して座椅子が固定して設けられている従来の揺動座椅子では、座る者の体型によってその重心位置が微妙に異なって、揺動座椅子の揺動範囲を座る者に対応して、最適な状態にすることはできなかった。
また、前記の実開平３−９２１５４のロッキング座椅子は、座る者の体型によってその重心位置が微妙に異なることに対応して、その重心位置を移動させるという技術的思想はなく、単に、座椅子を前後に移動させることによって、通常の座椅子（つまり揺動しない座椅子）と揺動する座椅子として使い分け可能な構造であるのみであり、揺動座椅子の揺動範囲を座る者に対応して、最適な状態にすることはできなかった。
【０００４】
この発明は、上記のような課題に鑑み、その課題を解決すべく創案されたものであって、その目的とするところは、揺動座椅子の重心位置に対して座椅子に座った者の重心位置を座椅子と共に前後にスライドさせて、座椅子に座る者によって異なる重心位置を最適な重心位置に調節可能にすることのできる揺動座椅子を提供することにある。
【０００５】
【課題を解決するための手段】
以上の目的を達成するために、請求項１の発明は、弧状揺動部材を備えた揺動基台と、揺動基台上の座椅子との間に、揺動基台に対して座椅子を前後方向にスライド自在及びロックするスライド機構を設け、スライド機構により揺動座椅子の重心位置に対して座椅子に座った者の重心位置を座椅子と共に前後にスライドさせて、座椅子に座った者によって異なる重心位置を最適な重心位置に調節可能にすると共に、上記弧状揺動部材の左右一対の弧状揺動ソリ板の前部側を直線状に形成した手段よりなるものである。
【０００６】
ここで、請求項１の好ましい態様として、スライド機構のロック及びロック解除する操作レバーがスライド機構の側部に設けられ、操作レバーは後方側に回動させることでロック解除し、操作レバーを離すと前方側に向けて回動してロック状態に復帰するようになっている。
【０００７】
また、請求項３の発明は、弧状揺動部材を備えた揺動基台と、揺動基台上の座椅子との間に、揺動基台に対して座椅子を前後方向にスライドさせるスライド機構を設けると共に揺動基台の前方に向けて座椅子を付勢するバネを設け、揺動座椅子の重心位置に対して座椅子に座った者の重心位置を座椅子と共にバネの付勢力に抵抗して後方に向けてスライドさせて、座椅子に座った者によって異なる重心位置を最適な重心位置に調節可能にすると共に、上記弧状揺動部材の左右一対の弧状揺動ソリ板の前部側を直線状に形成し、座った者が座椅子からの立ち上がり時には、前方に付勢するバネを利用して座椅子を前方にスライドさせ座った者の重心位置を前方に移動させて座椅子を前方に傾かせ、座椅子からの立ち上がりを容易にする手段よりなるものである。
【０００８】
ここで、請求項３の好ましい態様として、バネのバネ強さは可変自在になっている。
【０００９】
【発明の実施の形態】
以下、図面に記載の発明の実施の形態に基づいて、この発明をより具体的に説明する。
【００１０】
〔実施の形態−１〕
ここで、図１は揺動座椅子の側面図、図２は揺動座椅子の正面図、図３は揺動座椅子の平面図、図４はスライド機構の底面図、図５は揺動座椅子の使用状態の側面図、図６は揺動座椅子の座椅子を後部側にスライドさせて使用する側面図、図７は揺動座椅子の座椅子を前部側にスライドさせて使用する側面図である。
【００１１】
図において、揺動座椅子１は、前後方向に揺動する揺動基台２と、揺動基台２上の座椅子３と、揺動基台２と座椅子３との間に設けられたスライド機構４とから主に構成され、揺動座椅子１の重心位置に対して座椅子３に座った者ａの重心位置を座椅子３と共に前後にスライドさせて、座椅子３に座る者によって異なる重心位置を最適な重心位置に調節可能にできる特徴を備えている。
【００１２】
揺動基台２は、前後方向に揺動する部分で弧状揺動部材の弧状の底面の一部が床面ｂと接触することによって揺動する。この弧状揺動部材は例えば左右一対の弧状揺動ソリ板２１からなる。また、左右の弧状揺動ソリ板２１は前部連結横桁２２と後部連結横桁２３によって連結されている。揺動基台２は、この左右の弧状揺動ソリ板２１とこれを連結する前部連結横桁２２と後部連結横桁２３によって構成されている。
【００１３】
左右の弧状揺動ソリ板２１は、その前部側が例えば直線状に形成され、前屈み状態になった場合に、前方側に必要に以上に傾かないようになっており、またその中間側が例えば円弧状の曲線状に形成され、後部側は直線状に近い緩やかな円弧状の曲線状に形成され、後方側に反るような場合には後方側に傾いて揺動する構造になっている。
【００１４】
前部連結横桁２２は左右の弧状揺動ソリ板２１の前部側に取付けられており、その両端は左右の弧状揺動ソリ板２１の前部側の内側面にそれぞれ連結されている。また、後部連結横桁２３は左右の弧状揺動ソリ板２１の中間側に取付けられており、その両端は左右の弧状揺動ソリ板２１の中間側の内側面にそれぞれ連結されている。
【００１５】
座椅子３は、スライド機構４によって揺動基台２に対して前後方向にスライド自在及びロック自在になっている。座椅子３に座る者の体型によってその重心位置が微妙に異なり、腹が出ている太った者の場合にはその重心位置は座椅子３の前部側になり、痩せた者の場合にはその重心位置は座椅子３の後部側になる。
【００１６】
このため、座椅子３の前部側に重心位置がくるときには、通常はスライド機構４により揺動基台２に対して座椅子３を少し後方にスライドさせて、前部側にくる重心位置を後部側に少し移動させて、前屈み状態で揺動するのを回避して、座った者ａの重心位置と揺動座椅子１の重心位置が同じ位置になるように調節して、最適な範囲で揺動できるようにする。
【００１７】
逆に、座椅子３の後部側に重心位置がくるときには、通常はスライド機構４により揺動基台２に対して座椅子３を少し前方にスライドさせて、後部側にくる重心位置を前部側に少し移動させて、後方に傾いて反った状態で揺動するのを回避して、座った者ａの重心位置と揺動座椅子１の重心位置が同じ位置になるように調節して、最適な範囲で揺動できるようにする。
【００１８】
また、座椅子３の左右側には肘掛け３１がそれぞれ設けられていて、座椅子３に座った者ａは左右の肘掛け３１の上に左右の腕をそれぞれ載せることにより、リラックスできる構造になっている。同様に、座椅子３の背もたれの上部には枕３２が装着自在に取付けられており、枕３２に頭の載せることにより、リラックスできる構造になっている。
【００１９】
スライド機構４は揺動基台２と座椅子３との間に設けられて、座椅子３を揺動基台２に対して前後方向にスライド及び固定する機構で、スライド受溝４１、スライド杆４２、ストッパー片４３、ロック受穴４４ａが側面に形成されたロック受穴形成体４４、ロック作動杆４６、操作レバー４７などから主に構成されている。
【００２０】
スライド受溝４１は前部連結横桁２２と後部連結横桁２３との間の左右両側に、前後方向に向けてそれぞれ設けられている。左右のスライド受溝４１はその前部側が前部連結横桁２２の上面側に固定され、スライド受溝４１の後部側が後部連結横桁２３の上面側に固定されている。左右のスライド受溝４１はその溝底面側がそれぞれ左右両側方に面するように取付けられている。
【００２１】
スライド杆４２は、その下部の内側に向けて突出する下部内側面がスライド受溝４１内に挿入されて前後方向に向けてスライドするもので、座椅子３の下面の左右両側に前後方向に向けてそれぞれ固定して取付けられている。
【００２２】
また、スライド杆４２の下面の中央部にはストッパー片４３が下向きに突設されている。ストッパー片４３はその端部が前部連結横桁２２又は後部連結横桁２３に当たることによって、スライド杆４２がそれ以上、前方側又は後方側に突出移動するのを阻止する機能を果たしている。
【００２３】
左右のスライド受溝４１の内側の左側寄りには、一定間隔に複数に区切られたロック受穴４４ａが側面に形成されたロック受穴形成体４４が前後方向に向けて取付けられている。ロック受穴形成体４４の前部側は前部連結横桁２２の上面側に固定され、ロック受穴形成体４４の後部側は後部連結横桁２３の上面側に固定されている。
【００２４】
ロック受穴形成体４４と右側のスライド受溝４１との間に位置する座椅子３の下面中央部位には方形状のロック取付盤４５が取付けられ、ロック取付盤４５には、ロック受穴４４ａにその先端側に挿入してロックするロック作動杆４６が左右方向に向けて取付けられている。ロック作動杆４６は左右方向に移動する構造になっている。
【００２５】
ロック作動杆４６はロック受穴４４ａに挿入される先端側が傾斜テッパー状に形成されている。ロック作動杆４６の中間部分はボックス内に挿入されていて、このボックス内には図示しないスプリングが設けられていて、この図示しないスプリングによってロック作動杆４６は、その先端側がロック受穴４４ａ内に挿入する方向に常時付勢されている。
【００２６】
ロック作動杆４６の後端側は右側のスライド受溝４１の近くまで延設されて、操作レバー４７のＶ字型に折れ曲がった基端側に枢支軸４８によって回転自在に連結されている。
【００２７】
操作レバー４７は左右方向に移動するロック作動杆４６を調節するもので、基端側はＶ字型に折れ曲がっており、操作レバー４７のＶ字型に折れ曲がった部分には、ロック取付盤４５に左右方向に取付けられた連結桁４９の右端側に操作レバー４７を回転自在に連結する回動軸４７ａが取付けられており、操作レバー４７はこの回動軸４７ａを中心として回動する。
【００２８】
操作レバー４７の先端側は、スライド機構４の側面から外側に突出しており、回動軸４７ａを中心として操作レバー４７の先端側を手で掴んで後方側つまり手元側に回動させると、ロック作動杆４６の先端側をロック受穴４４ａから出してロック解除状態にできる。
【００２９】
また、操作レバー４７の先端側を離すと、ロック作動杆４６は図示しないスプリングによってその先端側はロック受穴４４ａ内に挿入され、ロック作動杆４６の後端側が左側に移動することで、操作レバー４７は回動軸４７ａを中心として前方側に回動して、ロックされる構造になっている。
【００３０】
次に、上記発明の実施の形態の構成に基づく作用について以下説明する。
揺動座椅子１の座椅子３に座る者の体型によってその重心位置が微妙に異なり、腹が出ている太った者の場合にはその重心位置は座椅子３の前部側になり、痩せた者の場合にはその重心位置は座椅子３の後部側になる。
【００３１】
揺動座椅子１の座椅子３に座る者が腹が出ている太った者の場合には、座椅子３の前部側に重心位置がくる。このときには、通常はスライド機構４により揺動基台２に対して座椅子３を少し後方にスライドさせる。
【００３２】
スライド機構４の操作は、先ず、操作レバー４７の先端側を手で掴んで後方側つまり手元側に引いて、ロック解除状態にして座椅子３が揺動基台２に対して自在に前後方向にスライドできるようにする。
【００３３】
操作レバー４７の先端側を手で掴んで後方側つまり手元側に引くと、操作レバー４７のＶ字型に折れ曲がった基端側は回動軸４７ａを中心として回転し、操作レバー４７の基端側に枢支軸４８を介して連結されるロック作動杆４６の後端側を右側に移動させる。
【００３４】
ロック作動杆４６の後端側が右側に移動すると、ロック受穴形成体４４の側面に形成されたロック受穴４４ａに挿入されているロック作動杆４６の先端側も右側に移動してそのロック受穴４４ａから抜け出ることによってロック解除されることになる。
【００３５】
ロック解除されると、座椅子３を揺動基台２に対して前後方向に自在にスライド可能となり、座椅子３に座った状態で床面ｂに接触する足を前方側に押し出すようにして、揺動基台２に対して座椅子３を少し後方側に移動させて、揺動座椅子１の重心位置と座椅子３に座った者ａの重心位置を合わせる。
【００３６】
この後、操作レバー４７の先端側を掴んでいた手を離すと、図示しないスプリングで付勢されているロック作動杆４６はその先端側がロック受穴４４ａ側に向けて移動してロック受穴４４ａ内に挿入されてロック状態となり、座椅子３はその位置に固定される。
【００３７】
また、ロック作動杆４６の先端側がロック受穴４４ａに向けて移動することにより、ロック作動杆４６の後端側に枢支軸４８を介して基端側が連結されている操作レバー４７は回動軸４７ａを中心としてその先端側は前方側に向けて回動して元の状態に戻る。
【００３８】
このように、座椅子３に座った際に前部側にくる重心位置を後部側に少し移動させて、前屈み状態で揺動するのを回避して、座った者ａの重心位置と揺動座椅子１の重心位置が同じ位置になるように調節することにより、最適な範囲で揺動できるようにすることが可能となる。
【００３９】
これに対して、揺動座椅子１の座椅子３に座る者が痩せている者の場合には、座椅子３の後部側に重心位置がくる。このときには、通常はスライド機構４により揺動基台２に対して座椅子３を少し前方にスライドさせる。
【００４０】
スライド機構４の操作は、先ず、操作レバー４７の先端側を手で掴んで後方側つまり手元側に引いて、ロック解除状態にして座椅子３が揺動基台２に対して自在に前後方向にスライドできるようにする。
【００４１】
操作レバー４７の先端側を手で掴んで後方側つまり手元側に引くと、操作レバー４７のＶ字型に折れ曲がった基端側は回動軸４７ａを中心として回転し、操作レバー４７の基端側に枢支軸４８を介して連結されるロック作動杆４６の後端側を右側に移動させる。
【００４２】
ロック作動杆４６の後端側が右側に移動すると、ロック受穴形成体４４の側面に形成されたロック受穴４４ａに挿入されているロック作動杆４６の先端側も右側に移動してそのロック受穴４４ａから抜け出ることによってロック解除されることになる。
【００４３】
ロック解除されると、座椅子３を揺動基台２に対して前後方向に自在にスライド可能となり、座椅子３に座った状態で床面ｂに接触する足を後方側に戻すようにして、揺動基台２に対して座椅子３を少し前方側に移動させて、揺動座椅子１の重心位置と座椅子３に座った者ａの重心位置を合わせる。
【００４４】
この後、操作レバー４７の先端側を掴んでいた手を離すと、図示しないスプリングで付勢されているロック作動杆４６はその先端側がロック受穴４４ａ側に向けて移動してロック受穴４４ａ内に挿入されてロック状態となり、座椅子３はその位置に固定される。
【００４５】
また、ロック作動杆４６の先端側がロック受穴４４ａに向けて移動することにより、ロック作動杆４６の後端側に枢支軸４８を介して基端側が連結されている操作レバー４７は回動軸４７ａを中心としてその先端側は前方側に向けて回動して元の状態に戻る。
【００４６】
このように、座椅子３に座った際に後部側にくる重心位置を前部側に少し移動させて、後方側に少し反った状態で揺動するのを回避して、座った者ａの重心位置と揺動座椅子１の重心位置が同じ位置になるように調節することにより、最適な範囲で揺動できるようにすることが可能となる。
【００４７】
また、上記の場合において、この揺動座椅子１に座った状態で食事を行ったり、机上で仕事などをする場合には、座椅子３に座った者ａの重心位置が揺動座椅子１の重心位置よりも少し前部側にくるように座椅子３をスライドさせる。
【００４８】
座椅子３を前方側に少しスライドさせて、座椅子３に座った者ａの重心位置を揺動座椅子１の重心位置よりも少し前部側に移動させると、座椅子３に座った者ａは少し前屈みの範囲内で揺動することになって、食事や机上での仕事が行い易くなる。
【００４９】
逆に、上記の場合において、この揺動座椅子１に座った状態で少し後方に反った状態で揺動したい場合には、座椅子３に座った者ａの重心位置が揺動座椅子１の重心位置よりも少し後方側にくるように座椅子３をスライドさせる。
【００５０】
座椅子３を後方側に少しスライドさせて、座椅子３に座った者ａの重心位置を揺動座椅子１の重心位置よりも少し後部側に移動させると、座椅子３に座った者ａは少し後方に反った範囲内で揺動することになって、非常にリラックスした状態になる。
【００５１】
〔実施の形態−２〕
ここで、図８は揺動座椅子の側面図、図９は揺動座椅子の正面図、図１０は揺動座椅子の平面図、図１１はスライド機構の底面図、図１２はバネの可動取付部の部分拡大側断面図、図１３は揺動座椅子の座椅子を前端部側にスライドさせて使用する側面図、図１４は揺動座椅子の座椅子を後部側にスライドさせて使用する側面図である。
【００５２】
図において、揺動座椅子５は、前後方向に揺動する揺動基台６と、揺動基台６上の座椅子７と、揺動基台６と座椅子７との間に設けられたスライド機構８及びバネ９とから主に構成され、揺動座椅子５の重心位置に対して座椅子７に座った者ａの重心位置を座椅子７と共にバネ９の付勢力に抵抗して後方に向けてスライドさせて、座椅子７に座った者ａによって異なる重心位置を最適な重心位置に調節可能にすると共に、座った者ａが座椅子７からの立ち上がり時には、前方に付勢するバネ９を利用して座椅子７を前方にスライドさせ座った者ａの重心位置を前方に移動させて座椅子７を前方に傾かせ、座椅子７からの立ち上がりを容易にする特徴を備えている。
【００５３】
揺動基台６は、前後方向に揺動する部分で弧状揺動部材の弧状の底面の一部が床面ｂと接触することによって揺動する。この弧状揺動部材は例えば左右一対の弧状揺動ソリ板６１からなる。また、左右の弧状揺動ソリ板６１は前部連結横桁６２と後部連結横桁６３によって連結されている。揺動基台６は、この左右の弧状揺動ソリ板６１とこれを連結する前部連結横桁６２と後部連結横桁６３によって構成されている。
【００５４】
左右の弧状揺動ソリ板６１は、その前部側が例えば直線状に形成され、前屈み状態になった場合に、前方側に必要に以上に傾かないようになっており、またその中間側が例えば円弧状の曲線状に形成され、後部側は直線状に近い緩やかな円弧状の曲線状に形成され、後方側に反るような場合には後方側に傾いて揺動する構造になっている。
【００５５】
前部連結横桁６２は左右の弧状揺動ソリ板６１の前部側に取付けられており、その両端は左右の弧状揺動ソリ板６１の前部側の内側面にそれぞれ連結されている。また、後部連結横桁６３は左右の弧状揺動ソリ板６１の中間側に取付けられており、その両端は左右の弧状揺動ソリ板６１の中間側の内側面にそれぞれ連結されている。
【００５６】
座椅子７は、スライド機構８によって揺動基台６に対して前後方向にスライド自在になっており、また、座椅子７にはバネ９によって前方に向けて付勢力つまり前方に向けて引っ張る力が常時作用していて、座椅子７に誰も座っていない場合には、座椅子７は前方の最前端にスライドしている。
【００５７】
座椅子７に座る者の体型によってその重心位置が微妙に異なり、腹が出ている太った者の場合にはその重心位置は座椅子７の前部側になり、痩せた者の場合にはその重心位置は座椅子７の後部側になる。
【００５８】
このため、座椅子７の前部側に重心位置がくるときには、通常はスライド機構８により揺動基台６に対して座椅子７をバネ９の付勢力に抵抗して最前端から後方にスライドさせて、前部側にくる重心位置を後部側に少し移動させて、前屈み状態で揺動するのを回避して、座った者ａの重心位置と揺動座椅子５の重心位置が同じ位置になるように調節して、最適な範囲で揺動できるようにする。
【００５９】
逆に、座椅子７の後部側に重心位置がくるときには、通常はスライド機構８により揺動基台６に対して座椅子７をバネ９の付勢力に抵抗して最前端から少しだけ後方にスライドさせて、後部側にくる重心位置を前部側に少し移動させて、後方に傾いて反った状態で揺動するのを回避して、座った者ａの重心位置と揺動座椅子５の重心位置が同じ位置になるように調節して、最適な範囲で揺動できるようにする。
【００６０】
また、座椅子７の左右側には肘掛け７１がそれぞれ設けられていて、座椅子７に座った者ａは左右の肘掛け７１の上に左右の腕をそれぞれ載せることにより、リラックスできる構造になっている。同様に、座椅子７の背もたれの上部には枕７２が装着自在に取付けられており、枕７２に頭の載せることにより、リラックスできる構造になっている。
【００６１】
スライド機構８は揺動基台６と座椅子７との間に設けられて、座椅子７を揺動基台６に対して前後方向にスライドする機構で、スライド受溝８１、スライド杆８２、ストッパー片８３などから構成されている。
【００６２】
スライド受溝８１は前部連結横桁６２と後部連結横桁６３との間の左右両側に、前後方向に向けてそれぞれ設けられている。左右のスライド受溝８１はその前部側が前部連結横桁６２の上面側に固定され、スライド受溝８１の後部側が後部連結横桁６３の上面側に固定されている。左右のスライド受溝８１はその溝底面側がそれぞれ左右両側方に面するように取付けられている。
【００６３】
スライド杆８２は、その下部の内側に向けて突出する下部内側面がスライド受溝８１内に挿入されて前後方向に向けてスライドするもので、座椅子７の下面の左右両側に前後方向に向けてそれぞれ固定して取付けられている。
【００６４】
また、図面では片方のスライド杆８２の下面の中央部にはストッパー片８３が下向きに突設されている。ストッパー片８３はその端部が前部連結横桁６２又は後部連結横桁６３に当たることによって、スライド杆８２がそれ以上、前方側又は後方側に突出移動するのを阻止する機能を果たしている。
【００６５】
バネ９は、座椅子７を前方に向けて常時付勢させるもので、座椅子７にはバネ９によって前方に向けて付勢力つまり前方に向けて引っ張る力が常時作用していて、座椅子７に誰も座っていない場合には、座椅子７を前方の最前端にスライドさせている。
【００６６】
バネ９はその前端側が前部連結横桁６２の中央に取付けられた取付けネジ９１に連結され、後端側はその後方側の座椅子７の底面の中央に取付けられた取付けネジ９２に連結されている。バネ９には例えばコイルバネが使用されている。バネ９のバネ強さ（バネ定数）は、座椅子７に座った者ａがバネ９の付勢力に抵抗して容易に座椅子７を後方にスライドさせることができる程度の強さに調節されている。
【００６７】
また、バネ９は、座椅子７に座る者に応じてそのバネ強さ（バネ定数）が可変つまり強くしたり弱くしたり調節することができるようになっている。バネ９のバネ強さ（バネ定数）の調節は、例えば、座椅子７の底面の中央に取付けられた取付けネジ９２の取付け位置を前後に移動させることで簡単にできる。
【００６８】
さらに、図に示すように、バネ９の前端側が連結される可動取付部９３を例えば螺子運動によって前後に移動する構造にすることによっても、バネ９のバネ強さ（バネ定数）を簡単に調節可能にすることができる。この可動取付部９３は、図示するように例えば、螺子運動するネジ棒９３ａ、ネジ棒９３ａの一端に形成された撮み９３ｂ、ネジ棒９３ａの他端に形成されバネ９の前端側を取付ける取付孔９３ｃ、前部連結横桁６２に固定され中央にネジ孔９３ｄが形成された基盤９３ｅなどから構成されている。
【００６９】
次に、上記発明の実施の形態の構成に基づく作用について以下説明する。
揺動座椅子５の座椅子７に座る者の体型によってその重心位置が微妙に異なり、腹が出ている太った者の場合にはその重心位置は座椅子７の前部側になり、痩せた者の場合にはその重心位置は座椅子７の後部側になる。
【００７０】
揺動座椅子５の座椅子７に座る者が腹が出ている太った者の場合には、座椅子７の前部側に重心位置がくる。このときには、足で床面ｂを前方に向けて少し強く押してその反作用を利用して、スライド機構８により揺動基台６に対して座椅子７をバネ９の付勢力に抵抗して最前端から後方にスライドさせて、前部側にくる重心位置を後部側に少し移動させて、前屈み状態で揺動するのを回避して、座った者ａの重心位置と揺動座椅子５の重心位置が同じ位置になるように調節して、最適な範囲で揺動できるようにする。
【００７１】
このようにして、座椅子７に座った際に前部側にくる重心位置を後部側に少し移動させて、前屈み状態で揺動するのを回避して、座った者ａの重心位置と揺動座椅子５の重心位置が同じ位置になるように調節することにより、最適な範囲で揺動できるようにすることが可能となる。
【００７２】
これに対して、揺動座椅子５の座椅子７に座る者が痩せている者の場合には、座椅子７の後部側に重心位置がくる。このときには、足で床面ｂを前方に向けて弱く押してその反作用を利用して、スライド機構８により揺動基台６に対して座椅子７をバネ９の付勢力に抵抗して最前端から少しだけ後方にスライドさせて、後部側にくる重心位置を前部側に少し移動させて、後方に傾いて反った状態で揺動するのを回避して、座った者ａの重心位置と揺動座椅子５の重心位置が同じ位置になるように調節して、最適な範囲で揺動できるようにする。
【００７３】
このようにして、座椅子７に座った際に後部側にくる重心位置を前部側に少し移動させて、後方側に少し反った状態で揺動するのを回避して、座った者ａの重心位置と揺動座椅子５の重心位置が同じ位置になるように調節することにより、最適な範囲で揺動できるようにすることが可能となる。
【００７４】
また、上記の場合において、この揺動座椅子５に座った状態で食事を行ったり、机上で仕事などをする場合には、座椅子７に座った者ａの重心位置が揺動座椅子５の重心位置よりも少し前部側にくるように座椅子７をスライドさせる。この場合には、足で床面ｂを後方に向けて押すようにすると、バネ９の付勢力によって座椅子７が前方にスライドする。
【００７５】
座椅子７を前方側に少しスライドさせて、座椅子７に座った者ａの重心位置を揺動座椅子５の重心位置よりも少し前部側に移動させると、座椅子７に座った者ａは少し前屈みの範囲内で揺動することになって、食事や机上での仕事が行い易くなる。
【００７６】
逆に、上記の場合において、この揺動座椅子５に座った状態で少し後方に反った状態で揺動したい場合には、座椅子７に座った者ａの重心位置が揺動座椅子５の重心位置よりも少し後方側にくるように座椅子７をスライドさせる。この場合には、足で床面ｂを前方に向けて押す力を強めると、バネ９の付勢力に打ち勝って座椅子７が後方にスライドする。
【００７７】
座椅子７を後方側に少しスライドさせて、座椅子７に座った者ａの重心位置を揺動座椅子５の重心位置よりも少し後部側に移動させると、座椅子７に座った者ａは少し後方に反った範囲内で揺動することになって、非常にリラックスした状態になる。
【００７８】
このように、揺動基台６に対してスライド機構８により前後にスライドする座椅子７は、座椅子７に座った者ａの体重と、バネ９のバネ強さ（バネ定数）と、スライド機構８のスライド受溝８１とスライド杆８２による適度な摩擦とのバランスによって、任意の位置で停止させてその位置で揺動を行うことができる。
【００７９】
さらに、座った者ａが座椅子７からの立ち上がり時には、足で床面ｂを後方に向けて押すようにすると、前方に付勢するバネ９の付勢力によって座椅子７は最前端にスライドし、これにより、座椅子７に座った者ａの重心位置は前方に移動して座椅子７は前方に傾くことになり、座椅子７に座った者ａは後ろに反った状態から前屈みの状態になって座椅子７からの立ち上がりが容易になる。
【００８０】
なお、この発明は上記発明の実施の形態に限定されるものではなく、この発明の精神を逸脱しない範囲で種々の改変をなし得ることは勿論である。
【００８１】
【発明の効果】
以上の記載より明らかなように、請求項１の発明に係る揺動座椅子によれば、弧状揺動部材を備えた揺動基台と、揺動基台上の座椅子との間に、揺動基台に対して座椅子を前後方向にスライド自在及びロックするスライド機構を設け、スライド機構により揺動座椅子の重心位置に対して座椅子に座った者の重心位置を座椅子と共に前後にスライドさせて、座椅子に座った者によって異なる重心位置を最適な重心位置に調節可能にすることができ、これによって、揺動座椅子に座った者は、自分の体型に合わせて最適な揺動範囲で揺動してリラックスを図ることができる。
しかも、食事を行う場合や机などで物を書く場合のように少し前屈みの状態で揺動させたいときには、重心位置を少し前方にずらすことにより、これに対処することができ、さらに、逆に非常にリラックスして少し後方側に反った状態で揺動させたいときには、重心位置を少し前方にずらすことにより、これに対処することができる。このように、使用状態に応じて最適な重心位置に調節することができるという、極めて新規的有益なる効果を奏するものである。
【００８２】
また、請求項２のように、スライド機構のロック及びロック解除する操作レバーがスライド機構の側部に設けられ、操作レバーは後方側に回動させることでロック解除し、操作レバーを離すと前方側に向けて回動してロック状態に復帰する場合には、座った状態でスライド機構の操作レバーを後方側つまり手元側に回動させるとスライド機構のロック解除を行って、座椅子を揺動基台に対して前後にスライドさせることができ、しかも単に操作レバーを離すのみで、スライド機構をロックさせて座椅子を揺動基台の所望の位置に固定させることができる。
【００８３】
また、請求項３の発明に係る揺動座椅子によれば、弧状揺動部材を備えた揺動基台と、揺動基台上の座椅子との間に、揺動基台に対して座椅子を前後方向にスライドさせるスライド機構を設けると共に揺動基台の前方に向けて座椅子を付勢するバネを設け、揺動座椅子の重心位置に対して座椅子に座った者の重心位置を座椅子と共にバネの付勢力に抵抗して後方に向けてスライドさせて、座る者の体重とバネとスライド機構の適度な摩擦とのバランスによって、座椅子に座った者によって異なる重心位置を最適な重心位置に調節可能にすることができ、これによって、揺動座椅子に座った者は、自分の体型に合わせて最適な揺動範囲で揺動してリラックスを図ることができる。
しかも、食事を行う場合や机などで物を書く場合のように少し前屈みの状態で揺動させたいときには、重心位置を少し前方にずらすことにより、これに対処することができ、さらに、逆に非常にリラックスして少し後方側に反った状態で揺動させたいときには、重心位置を少し前方にずらすことにより、これに対処することができる。
さらにまた、座った者が座椅子からの立ち上がり時には、前方に付勢するバネの付勢力を利用して座椅子を最前端にスライドさせ、座椅子に座った者の重心位置を前方に移動させて座椅子を前方に傾かせることができ、これにより、座椅子に座った者を後ろに反った状態から前屈みの状態にして座椅子からの立ち上がりを容易にすることができる。このように、使用状態に応じて最適な重心位置に調節することができるという、極めて新規的有益なる効果を奏するものである。
【００８４】
また、請求項４のように、バネのバネ強さが可変自在になっている場合には、座る者の体格に応じてバネ強さを可変、例えば、体重の軽い者のときにはバネ強さを弱め、体重が重い者のときにはバネ強さを強めることによって、座る者の体格に応じて快適な状態での使用を可能にすることができる。
【図面の簡単な説明】
【図１】この発明の実施の形態−１を示す揺動座椅子の側面図である。
【図２】この発明の実施の形態−１を示す揺動座椅子の正面図である。
【図３】この発明の実施の形態−１を示す揺動座椅子の平面図である。
【図４】この発明の実施の形態−１を示すスライド機構の底面図である。
【図５】この発明の実施の形態−１を示す揺動座椅子の使用状態の側面図である。
【図６】この発明の実施の形態−１を示す揺動座椅子の座椅子を後部側にスライドさせて使用する側面図である。
【図７】この発明の実施の形態−１を示す揺動座椅子の座椅子を前部側にスライドさせて使用する側面図である。
【図８】この発明の実施の形態−２を示す揺動座椅子の側面図である。
【図９】この発明の実施の形態−２を示す揺動座椅子の正面図である。
【図１０】この発明の実施の形態−２を示す揺動座椅子の平面図である。
【図１１】この発明の実施の形態−２を示すスライド機構の底面図である。
【図１２】この発明の実施の形態−２を示すバネの可動取付部の部分拡大側断面図である。
【図１３】この発明の実施の形態−２を示す揺動座椅子の座椅子を前端部側にスライドさせて使用する側面図である。
【図１４】この発明の実施の形態−２を示す揺動座椅子の座椅子を後部側にスライドさせて使用する側面図である。
【符号の説明】
１    揺動座椅子
２    揺動基台
２１    弧状揺動ソリ板
２２    前部連結横桁
２３    後部連結横桁
３    座椅子
３１    肘掛け
３２    枕
４    スライド機構
４１    スライド受溝
４２    スライド杆
４３    ストッパー片
４４    ロック受穴形成体
４４ａ  ロック受穴
４５    ロック取付盤
４６    ロック作動杆
４７    操作レバー
４７ａ  回動軸
４８    枢支軸
４９    連結桁
５    揺動座椅子
６    揺動基台
６１    弧状揺動ソリ板
６２    前部連結横桁
６３    後部連結横桁
７    座椅子
７１    肘掛け
７２    枕
８    スライド機構
８１    スライド受溝
８２    スライド杆
８３    ストッパー片
９    バネ
９１    取付けネジ
９２    取付けネジ
９３    可動取付部
９３ａ  ネジ棒
９３ｂ  撮み
９３ｃ  取付孔
９３ｄ  ネジ孔
９３ｅ  基盤
ａ    座った者
ｂ    床面
【図１】
0003735808.tif 000002
【図２】
0003735808.tif 000003
【図３】
0003735808.tif 000004
【図４】
0003735808.tif 000005
【図５】
0003735808.tif 000006
【図６】
0003735808.tif 000007
【図７】
0003735808.tif 000008
【図８】
0003735808.tif 000009
【図９】
0003735808.tif 000010
【図１０】
0003735808.tif 000011
【図１１】
0003735808.tif 000012
【図１２】
0003735808.tif 000013
【図１３】
0003735808.tif 000014
【図１４】
0003735808.tif 000015